(57)【要約】【課題】ユーザ端末に対して複数の送信ポイントから下りリンク信号が送信される場合であっても、レートマッチングを適切に行う。【解決手段】複数の無線基地局と協調マルチポイント送受信可能に構成されたユーザ端末を具備する無線通信システムであって、無線基地局は、所定のレートマッチングパターンが規定されたビット情報を下り制御情報に含めてユーザ端末に送信し、ユーザ端末は、下り制御情報を受信し、レートマッチングパターンが規定されたビット情報に基づいてレートマッチングを行い、レートマッチングパターンとして、ＭＢＳＦＮサブフレーム又はＮＣＴを利用する複数の無線基地局から送信が行われる際のセル固有参照信号パターン及び干渉推定用参照信号パターンの組合せが所定ビットに集約して規定されており、ユーザ端末は、ビット情報に加えて無線基地局のサブフレーム構成及び干渉推定用参照信号パターンに基づいてレートマッチングを行う。【選択図】図１１
2014072694.tif 000002
【特許請求の範囲】
【請求項１】
複数の無線基地局と、前記複数の無線基地局と協調マルチポイント送受信可能に構成されたユーザ端末と、を具備する無線通信システムであって、
前記無線基地局は、所定のレートマッチングパターンが規定されたビット情報を下り制御情報に含めてユーザ端末に送信する送信部を有し、
前記ユーザ端末は、前記下り制御情報を受信する受信部と、前記レートマッチングパターンが規定されたビット情報に基づいてレートマッチングを行う処理部と、を有し、
前記レートマッチングパターンとして、ＭＢＳＦＮサブフレーム又はニューキャリアタイプを利用する複数の無線基地局から送信が行われる際のセル固有参照信号パターン及び干渉推定用参照信号パターンの組合せが所定ビットに集約して規定されており、
前記処理部は、前記ビット情報に加えて前記無線基地局のサブフレーム構成及び干渉推定用参照信号パターンに基づいてレートマッチングを行うことを特徴とする無線通信システム。
【請求項２】
前記受信部が前記所定ビットを受信した場合、前記処理部は、ＭＢＳＦＮサブフレーム又はニューキャリアタイプを利用する無線基地局を特定し、ＭＢＳＦＮサブフレーム又はニューキャリアタイプを利用する前記無線基地局から送信される干渉推定用参照信号パターンに基づいてレートマッチングを行うことを特徴とする請求項１に記載の無線通信システム。
【請求項３】
前記レートマッチングパターンとして、ノーマルサブフレームを利用する各無線基地局に対応するセル固有参照信号パターン及び干渉推定用参照信号パターンの組合せがそれぞれ異なるビットに規定されており、前記受信部が当該ビットを受信した場合、前記処理部は、当該ビットで示される無線基地局のサブフレーム構成に基づいてセル固有参照信号パターンを決定すると共に、当該ビットで示される無線基地局の干渉推定用参照信号パターンを決定してレートマッチングを行うことを特徴とする請求項１又は請求項２に記載の無線通信システム。
【請求項４】
前記送信部は、協調マルチポイント送信を行う複数の無線基地局の干渉推定用参照信号のリソース構成をそれぞれ上位レイヤシグナリングでユーザ端末に通知することを特徴とする請求項１から請求項３のいずれかに記載の無線通信システム。
【請求項５】
前記送信部は、協調マルチポイント送信を行う複数の無線基地局がそれぞれ利用するサブフレーム構成及びオフセットに基づいて、前記干渉推定用参照信号のリソース構成を配置することを特徴とする請求項４に記載の無線通信システム。
【請求項６】
前記送信部は、協調マルチポイント送信を行う複数の無線基地局の中で、いずれかの無線基地局同士の干渉測定用参照信号パターンが同一となるように、干渉測定用参照信号のリソース構成を配置することを特徴とする請求項４又は請求項５に記載の無線通信システム。
【請求項７】
前記送信部は、協調マルチポイント送信を行う複数の無線基地局の中で、任意の無線基地局におけるＭＢＳＦＮサブフレーム又はニューキャリアタイプに干渉推定用参照信号を割当てないように、干渉測定用参照信号のリソース構成を配置することを特徴とする請求項４又は請求項５に記載の無線通信システム。
【請求項８】
前記送信部は、協調マルチポイント送信を行う複数の無線基地局の中で、ＭＢＳＦＮサブフレーム又はニューキャリアタイプを利用する無線基地局の干渉推定用参照信号のリソースがノーマルサブフレームを利用する無線基地局の干渉推定用参照信号のリソースのサブセットとなるように、干渉測定用参照信号のリソース構成を配置することを特徴とする請求項４又は請求項５に記載の無線通信システム。
【請求項９】
複数の無線基地局と、前記複数の無線基地局と協調マルチポイント送受信可能に構成されたユーザ端末と、の無線通信方法であって、
前記無線基地局は、所定のレートマッチングパターンが規定されたビット情報を下り制御情報に含めてユーザ端末に送信する工程を有し、
前記ユーザ端末は、前記下り制御情報を受信する工程と、前記レートマッチングパターンが規定されたビット情報に基づいてレートマッチングを行う工程と、を有し、
前記レートマッチングパターンとして、ＭＢＳＦＮサブフレーム又はニューキャリアタイプを利用する複数の無線基地局から送信が行われる際のセル固有参照信号パターン及び干渉推定用参照信号パターンの組合せが所定ビットに集約して規定されており、
前記ユーザ端末は、前記ビット情報に加えて前記無線基地局のサブフレーム構成及び干渉推定用参照信号パターンに基づいてレートマッチングを行うことを特徴とする無線通信方法。
【請求項１０】
複数の無線基地局と、前記複数の無線基地局と協調マルチポイント送受信可能に構成されたユーザ端末であって、
所定のレートマッチングパターンが規定されたビット情報を含む下り制御情報を受信する受信部と、
前記レートマッチングパターンが規定されたビット情報に基づいてレートマッチングを行う処理部と、を有し、
前記レートマッチングパターンとして、ＭＢＳＦＮサブフレーム又はニューキャリアタイプを利用する複数の無線基地局から送信が行われる際のセル固有参照信号パターン及び干渉推定用参照信号パターンの組合せが所定ビットに集約して規定されており、
前記処理部は、前記ビット情報に加えて前記無線基地局のサブフレーム構成及び干渉推定用参照信号パターンに基づいてレートマッチングを行うことを特徴とするユーザ端末。
【請求項１１】
複数の無線基地局と、前記複数の無線基地局と協調マルチポイント送受信可能に構成されたユーザ端末と、を具備する無線通信システムにおける無線基地局であって、
スケジューリング結果に基づいて所定のレートマッチングパターンを選択すると共に、前記レートマッチングパターンが規定されたビット情報を含む下り制御情報を生成する生成部と、
協調マルチポイント送信を行う複数の無線基地局がそれぞれ利用するサブフレーム構成及びオフセットに基づいて干渉推定用参照信号のリソース構成を選択する選択部と、
前記下り制御情報及び前記干渉推定用参照信号のリソース構成を前記ユーザ端末に送信する送信部と、を有することを特徴とする無線基地局。
【発明の詳細な説明】
【技術分野】
【０００１】
本発明は、次世代移動通信システムにおける無線通信システム、無線通信方法、ユーザ端末及び無線基地局に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥシステムの後継のシステムも検討されている（例えば、ＬＴＥアドバンスト又はＬＴＥエンハンスメントと呼ぶこともある（以下、「ＬＴＥ−Ａ」という））。
【０００４】
ＬＴＥシステム（例えば、Ｒｅｌ．８）の下りリンクにおいて、セルＩＤに関連づけられたＣＲＳ（Cell-specific  Reference  Signal）が定められている。このＣＲＳは、ユーザデータの復調に用いられる他、スケジューリングや適応制御のための下りリンクのチャネル品質（ＣＱＩ：Channel  Quality  Indicator）測定等に用いられる。一方、ＬＴＥ−Ａシステム（例えば、Ｒｅｌ．１０）の下りリンクにおいては、チャネル状態情報（ＣＳＩ：Channel  State  Information）の測定用の参照信号としてＣＳＩ−ＲＳ（Channel  State  Information-Reference  Signal）が検討されている。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。
【０００７】
そこで、３ＧＰＰ（3rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ技術では、１つあるいは複数のユーザ端末ＵＥに対して複数のセルが協調して送受信の信号処理を行う。これらのＣｏＭＰ技術の適用により、特にセル端に位置するユーザ端末ＵＥのスループット特性の改善が期待される。
【０００８】
このように、ＬＴＥ−Ａシステムにおいては、１つの送信ポイントからユーザ端末に下りリンク信号（データ信号、制御信号、参照信号等）を送信する送信形態に加え、複数の送信ポイントからユーザ端末に下りリンク信号を送信する送信形態が考えられる。複数の送信ポイントから下りリンク信号が送信される場合、ユーザ端末はデータ領域（ＰＤＳＣＨ：Physical  Downlink  Shared  Channel）が割当てられるリソース（ＲＥ）を特定するためにレートマッチングを行う必要がある。
【０００９】
１つの送信ポイントから下りリンク信号が送信される場合、ユーザ端末は特定の送信ポイントから送信される制御信号（例えば、ＰＤＣＣＨ信号等）や参照信号（例えば、ＣＲＳパターン、ＣＳＩ−ＲＳパターン等）を考慮してレートマッチングを行う。一方で、複数の送信ポイントから下りリンク信号が送信される場合、ユーザ端末は複数の送信ポイントから送信される制御信号や参照信号を考慮して適切にレートマッチングを行うこと必要となる。
【００１０】
本発明はかかる点に鑑みてなされたものであり、ユーザ端末に対して複数の送信ポイントから下りリンク信号が送信される場合であっても、レートマッチングを適切に行うことができる無線通信システム、ユーザ端末、無線基地局及び無線通信方法を提供することを目的とする。
【課題を解決するための手段】
【００１１】
本発明の無線通信システムは、複数の無線基地局と、前記複数の無線基地局と協調マルチポイント送受信可能に構成されたユーザ端末と、を具備する無線通信システムであって、前記無線基地局は、所定のレートマッチングパターンが規定されたビット情報を下り制御情報に含めてユーザ端末に送信する送信部を有し、前記ユーザ端末は、前記下り制御情報を受信する受信部と、前記レートマッチングパターンが規定されたビット情報に基づいてレートマッチングを行う処理部と、を有し、前記レートマッチングパターンとして、ＭＢＳＦＮサブフレーム又はニューキャリアタイプを利用する複数の無線基地局から送信が行われる際のセル固有参照信号パターン及び干渉推定用参照信号パターンの組合せが所定ビットに集約して規定されており、前記処理部は、前記無線基地局のサブフレーム構成及び干渉推定用参照信号パターンに基づいてレートマッチングを行うことを特徴とする。
【発明の効果】
【００１２】
本発明によれば、ユーザ端末に対して複数の送信ポイントから下りリンク信号が送信される場合であっても、レートマッチングを適切に行うことができる。
【図面の簡単な説明】
【００１３】
【図１】協調マルチポイント送信を説明するための図である。
【図２】ノーマルサブフレームを利用する各送信ポイントから送信されるＣＲＳのマッピング（ＣＲＳパターン）の一例を示す図である。
【図３】ＭＢＳＦＮサブフレーム・ＮＣＴを利用する各送信ポイントから送信されるＣＲＳのマッピング（ＣＲＳパターン）の一例を示す図である。
【図４】スケジューリング結果に対応するレートマッチングパターン（ＣＲＳパターン）と、ビット情報（ＤＣＩ）との関係を示す図である。
【図５】スケジューリング結果とレートマッチングパターンとの対応の一例を示す図である。
【図６】スケジューリング結果とレートマッチングパターンとの対応の他の一例を示す図である。
【図７】ＣｏＭＰセットとなる複数の送信ポイント（ＴＰ０、ＴＰ１、ＴＰ２）から干渉推定用参照信号（ＺＰ  ＣＳＩ−ＲＳ）を送信する場合を示す図である。
【図８】無線基地局からユーザ端末に通知されるＩＭＲ構成の一例を示す図である。
【図９】スケジューリング結果に対応するレートマッチングパターン（ＣＲＳパターン及びＺＰ  ＣＳＩ−ＲＳパターン）と、ビット情報（ＤＣＩ）との関係を示す図である。
【図１０】あるサブフレームにおいて、ＭＢＳＦＮを利用する各送信ポイントのＺＰ  ＣＳＩ−ＲＳパターンの一例を示す図である。
【図１１】ユーザ端末が行うレートマッチングの手順の一例を示す図である。
【図１２】無線基地局からユーザ端末に通知されるＩＭＲ構成の一例を示す図である。
【図１３】レートマッチングパターン（ＣＲＳパターン及びＺＰ  ＣＳＩ−ＲＳパターン）と、ビット情報（３ビット）との関係を示す図である。
【図１４】ユーザ端末が行うレートマッチングの手順の他の一例を示す図である。
【図１５】ＣｏＭＰセットを構成する送信ポイントの中で、一部の送信ポイントが選択的にスケジューリングされる場合を説明する図である。
【図１６】所定のＩＭＲ構成におけるＺＰ  ＣＳＩ−ＲＳパターンを示す図である。
【図１７】所定のＩＭＲ構成を（制限して）選択する場合のＺＰ  ＣＳＩ−ＲＳパターンを示す図である。
【図１８】３つの送信ポイント（ＴＰ０、ＴＰ１、ＴＰ２）に対して２つのＺＰ  ＣＳＩ−ＲＳパターンを適用する場合のレートマッチングについて説明する図である。
【図１９】ノーマルサブフレームを利用する送信ポイントと、ＭＢＳＦＮサブフレーム（又は、ＮＣＴ）を利用する送信ポイントでＪＴ  ＣｏＭＰ適用時のレートマッチングの一例を示す図である。
【図２０】無線通信システムのシステム構成を説明するための図である。
【図２１】無線基地局の全体構成を説明するための図である。
【図２２】無線基地局のベースバンド処理部に対応した機能ブロック図である。
【図２３】ユーザ端末の全体構成を説明するための図である。
【図２４】ユーザ端末のベースバンド処理部に対応した機能ブロック図である。
【発明を実施するための形態】
【００１４】
以下、本発明の実施の形態について、添付図面を参照して詳細に説明する。
【００１５】
まず、下りリンクの協調マルチポイント（ＣｏＭＰ）送信について説明する。下りリンクのＣｏＭＰ送信としては、Coordinated  Scheduling/Coordinated  Beamforming（ＣＳ／ＣＢ）と、Joint  processingとがある。Coordinated  Scheduling/Coordinated  Beamformingは、１つのユーザ端末ＵＥに対して１つの送受信ポイント（又は、無線基地局、セル）からのみ共有データチャネル（ＰＤＳＣＨ：Physical  Downlink  Shared  Channel）を送信する方法であり、他の送受信ポイントからの干渉や他の送受信ポイントへの干渉を考慮して周波数／空間領域における無線リソースの割り当てを行う。
【００１６】
一方、Joint  processingは、図１に示すように、プリコーディングを適用して複数の送受信ポイント（ここでは、ＴＰ０、ＴＰ１、ＴＰ２の３つ）から同時に共有データチャネルを送信する方法である。具体的には、図１Ａに示すように、複数の送受信ポイント（ここでは、ＴＰ０、ＴＰ１、ＴＰ２の３つ）から瞬時に１つの送受信ポイントを選択し共有データチャネルを送信するDynamic  Point  Selection（ＤＰＳ）と、図１Ｂに示すように、１つのユーザ端末ＵＥに対して複数の送受信ポイントから共有データチャネルを送信するJoint  Transmission（ＪＴ）とがある。ネットワークは、動的に１つ又は複数の送信ポイント（無線基地局）を選択して、ユーザ端末にデータ信号を送信する。
【００１７】
例えば、図１Ａに示すＤＰＳ  ＣｏＭＰにおいて、無線基地局ｅＮｂは、サブフレーム＃１で送信ポイントＴＰ０からユーザ端末にデータ信号を送信し、サブフレーム＃２で送信ポイントＴＰ１からユーザ端末にデータ信号を送信し、サブフレーム＃３で送信ポイントＴＰ２からユーザ端末にデータ信号を送信することができる。一方、図１Ｂに示すＪＴ  ＣｏＭＰにおいて、無線基地局ｅＮｂは、サブフレーム＃１で送信ポイントＴＰ０とＴＰ１からユーザ端末にデータ信号を送信し、サブフレーム＃２で送信ポイントＴＰ１とＴＰ２からユーザ端末にデータ信号を送信し、サブフレーム＃３で送信ポイントＴＰ０とＴＰ２からユーザ端末にデータ信号を送信し、サブフレーム＃４で送信ポイントＴＰ０とＴＰ１とＴＰ２からユーザ端末にデータ信号を送信することができる。
【００１８】
次に、ユーザ端末が複数の送信ポイントから送信されるデータ信号を受信した場合のレートマッチングについて説明する。図２Ａ〜Ｃは、あるサブフレームにおいて、ＣｏＭＰセットとなる複数の送信ポイント（例えば、ＴＰ０、ＴＰ１、ＴＰ２）からそれぞれ送信される下りリンク信号のマッピングパターンの一例を示している。なお、図２Ａ〜Ｃはノーマルサブフレームのマッピングパターンに相当する。また、図２Ｄは、ＴＰ０とＴＰ１を用いてＪＴ  ＣｏＭＰを適用する場合に、ＴＰ１とＴＰ２から送信される制御信号と参照信号（ＣＲＳ）を考慮したマッピングパターンを示している。
【００１９】
各送信ポイントから送信される下りリンク信号のマッピングパターンにおいて、サブフレームの先頭から所定のＯＦＤＭシンボル（最大３ＯＦＤＭシンボル）までの範囲に下り制御チャネル（ＰＤＣＣＨ）等が割当てられる。また、各送信ポイントから送信される下りリンク信号のマッピングパターンには、セル固有の参照信号（ＣＲＳ）が含まれている。ＣＲＳは、各送信ポイントにおける異なるアンテナポート間で時分割多重（ＴＤＭ）／周波数分割多重（ＦＤＭ）により直交するように異なるリソースにマッピングされており、各送信ポイント間でシフティングにより周波数方向にずれるようにマッピングされている。
【００２０】
また、下り制御チャネルが割当てられる所定のシンボルより後の無線リソースのうち、ＣＲＳがマッピングされるリソース以外の領域に下り共有データチャネル（ＰＤＳＣＨ）がマッピングされる。
【００２１】
したがって、ユーザ端末は、複数の送信ポイントからそれぞれ送信される下りリンク信号に対して、ＰＤＣＣＨ、ＣＲＳ等が割当てられるリソースを考慮してレートマッチングを行うことにより、ＰＤＳＣＨのリソースを特定することができる。例えば、図２Ｄにおいて、ユーザ端末はＴＰ１とＴＰ２におけるＰＤＣＣＨ、ＣＲＳの割当てパターンに基づいてレートマッチングを行うことにより、ＰＤＳＣＨが割当てられるリソースを特定することができる。
【００２２】
上述したノーマルサブフレームにおいて、ＣＲＳは周波数帯域全体にまたがってマッピングされている。一方で、サブフレーム構成として、ＭＢＳＦＮ（Multimedia  Broadcast  Multicast  service  Single  Frequency  Network）サブフレーム、ニューキャリアタイプ（ＮＣＴ：New  Carrier  Type）のサブフレーム構成の利用も検討されている。
【００２３】
ＭＢＳＦＮとは、ＭＢＳＦＮを構成する複数の無線基地局が、同一信号を一斉同期送信することにより、ユーザ端末が各無線基地局から送信された信号をＲＦ（Ｒａｄｉｏ  ｆｒｅｑｕｅｎｃｙ）合成できる方式である。ＭＢＳＦＮサブフレームでは、制御チャネル以外を空白区間（ブランク期間）とし、ＰＤＳＣＨ領域にＣＲＳが割当てられないサブフレームである。なお、以下の説明において、ＰＤＳＣＨ領域にＣＲＳが割当てられないパターンを、ＭＢＳＦＮサブフレームのＣＲＳパターン（CRS  pattern  of  MBSFN  subframe）ともいう。
【００２４】
ニューキャリアタイプ（「Extension  carrierタイプ」ともいう）のサブフレームとは、図３Ｂに示すように、サブフレームの先頭から所定のＯＦＤＭシンボル（最大３ＯＦＤＭシンボル）までの既存ＰＤＣＣＨを持たず、ＣＲＳも割当てられないサブフレームである。
【００２５】
例えば、あるサブフレームにおいて、ＴＰ１とＴＰ２からユーザ端末にデータ送信を行うようにスケジューリングされる場合、ユーザ端末は、ＴＰ１とＴＰ２のＣＲＳパターン等を考慮してレートマッチングを行う。ＴＰ１がノーマルサブフレーム（図２Ｂ参照）、ＴＰ２がＭＢＳＦＮサブフレーム（又は、ＮＣＴ）である場合（図３Ａ、Ｂ参照）、ＴＰ２のＰＤＳＣＨ領域にＣＲＳパターンは存在しないため、レートマッチングパターンはＴＰ１のマッピングパターンと等しくなる。つまり、ユーザ端末は、ノーマルサブフレームを用いるＴＰ１のマッピングパターンのみを考慮してレートマッチングを行うことができる。
【００２６】
次に、ユーザ端末が、複数の送信ポイントから下りリンク信号を受信して、ＣＲＳレートマッチングを行う場合の具体的な方法について図４、図５を参照して説明する。
【００２７】
まず、ユーザ端末は、所定の送信ポイント（サービングセル）又は各送信ポイントからＣｏＭＰセットを構成する送信ポイントのＣＲＳパターンを受信する。例えば、所定の送信ポイント（サービングセルとなる無線基地局）又は各送信ポイントが、上位レイヤシグナリング（例えば、ＲＲＣシグナリング）により、各送信ポイントのＣＲＳパターンをユーザ端末に長期的に通知する（semi  statically  signaling）。
【００２８】
無線基地局は、例えば、ＣＲＳのポート数、ＣＲＳの周波数シフト、ＭＢＳＦＮサブフレーム（又は、ＮＣＴ）、サブフレームオフセット等の構成についてユーザ端末に通知する。なお、ＣＲＳのポート数が０の場合は、ＣＲＳパターンがＭＢＳＦＮ（又はＮＣＴ）のＣＲＳパターンであることを示す。
【００２９】
また、ユーザ端末は、所定の送信ポイント（サービングセル）又は各送信ポイントから、各サブフレームにおけるレートマッチングパターンとして、どのＣＲＳパターンを使用するかを規定したビット情報（特定のＣＲＳパターンを示すビット情報）を受信する。例えば、無線基地局は、所定のレートマッチングパターンを示すビット情報を下り制御情報（ＤＣＩ：Downlink  Control  Information）に含めてユーザ端末に動的に通知する（dynamically  signaling）。無線基地局は、例えば、２ビットのビット情報を用いて、所定のレートマッチングパターンをユーザ端末に通知する。
【００３０】
図４Ａに、ＤＣＩに含める２ビットのビット情報（ＤＣＩシグナリング）と、レートマッチングに適用する所定のＣＲＳパターン（レートマッチングパターン）との関係を規定したテーブルの一例を示す。また、図４Ｂに、無線基地局（又は、より上位のネットワーク）によるスケジューリング結果と、ユーザ端末に通知するレートマッチングパターンとの関係を規定したテーブルの一例を示す。なお、図４Ａに示すテーブル１は、ユーザ端末及び無線基地局が保持し、図４Ｂに示すテーブル２は、少なくとも無線基地局が保持する構成とすることができる。
【００３１】
無線基地局は、スケジューリング結果に基づいて、テーブル２を参照してユーザ端末がレートマッチングに利用するレートマッチングパターン（ＣＲＳパターン）を決定し、対応するビット情報を下り制御情報（ＤＣＩ）に含めて通知する。ユーザ端末は、下り制御情報（ＤＣＩ）に含まれるビット情報に基づいて、レートマッチングに適用するレートマッチングパターン（ＣＲＳパターン）を選択する。
【００３２】
２ビットのビット情報として、３つの送信ポイント（ＴＰ０、ＴＰ１、ＴＰ２）毎のＣＲＳパターンと、ＭＢＳＦＮサブフレーム（又は、ＮＣＴ）のＣＲＳパターンを規定することができる。なお、ＭＢＳＦＮサブフレームのＣＲＳパターンとしては、ＪＴ  ＣｏＭＰ時の各送信ポイントのレートマッチングパターンの組み合わせを所定のビット情報（ここでは、１つのビット情報“１１”）にまとめて（集約して）規定することができる。
【００３３】
例えば、図５Ａは、あるサブフレームにおけるスケジューリング結果が、ＴＰ０からユーザ端末にデータ信号を送信する場合（例えば、ノーマルサブフレーム）を示している。この場合、無線基地局は、レートマッチングパターンとしてＴＰ０のＣＲＳパターン（ビット情報“００”）をＤＣＩに含めてユーザ端末に通知する。また、図５Ｂは、あるサブフレームにおけるスケジューリング結果が、ＴＰ１からユーザ端末にデータ信号を送信する場合を示している。この場合、無線基地局は、レートマッチングパターンとしてＴＰ１のＣＲＳパターン（ビット情報“０１”）をＤＣＩに含めてユーザ端末に通知する。また、図５Ｃは、あるサブフレームにおけるスケジューリング結果が、ＴＰ２からユーザ端末にデータ信号を送信する場合を示している。この場合、無線基地局は、レートマッチングパターンとしてＴＰ２のＣＲＳパターン（ビット情報“１０”）をＤＣＩに含めてユーザ端末に通知する。
【００３４】
また、図６は、あるサブフレームにおけるスケジューリング結果が、ＴＰ０、ＴＰ１、ＴＰ２の少なくとも２つからそれぞれＭＢＳＦＮサブフレーム（又は、ＮＣＴ）を用いてユーザ端末にデータ信号を送信する場合（ＪＴ  ＣｏＭＰ）を示している。この場合、無線基地局は、レートマッチングパターンとしてＭＢＳＦＮサブフレーム（又は、ＮＣＴ）のＣＲＳパターン（ビット情報“１１”）をＤＣＩに含めてユーザ端末に通知する。
【００３５】
図６に示すように、ＪＴ  ＣｏＭＰにおいて複数の送信ポイントがＭＢＳＦＮサブフレーム（又は、ＮＣＴ）を適用する場合、ＰＤＳＣＨ領域にＣＲＳはマッピングされないため、複数の送信ポイントのレートマッチングパターンを一つの情報ビット（ここでは“１１”）で表すことができる。これにより、下り制御情報に含めるビット数を低減することができる。また、ユーザ端末は、ビット情報“１１”を受信した場合には、サブフレームの先頭から所定のＯＦＤＭシンボル（ＰＤＣＣＨが割当てられるＯＦＤＭシンボル）以降には、ＣＲＳがマッピングされないと判断してレートマッチングを行うことができる。
【００３６】
ところで、ＣｏＭＰ送信を適用する場合、ユーザ端末は、各送信ポイントから送信されるチャネル状態測定用参照信号（ＣＳＩ−ＲＳ）に基づいてチャネル状態情報（ＣＳＩ：Channel  State  Information）を生成し、サービングセルとなる無線基地局にフィードバックすることが検討されている。
【００３７】
ＣＳＩ−ＲＳは、チャネル状態としてのＣＱＩ（Channel  Quality  Indicator）、ＰＭＩ（Precoding  Matrix  Indicator）、ＲＩ（Rank  Indicator）等のＣＳＩの測定に用いられる参照信号である。ＣＳＩ−ＲＳは、全てのサブフレームに割り当てられるＣＲＳと異なり、所定周期（例えば、１０サブフレーム周期）で無線リソースに割当てられる。また、ＣＳＩ−ＲＳは、位置、系列および送信電力というパラメータで特定される。ＣＳＩ−ＲＳの位置には、サブフレームオフセット、周期、サブキャリア−シンボルオフセットが含まれる。
【００３８】
ＣＳＩ−ＲＳを用いてチャネル状態を算出する場合、他の送信ポイント（他セル）からの干渉の影響を考慮することが重要となる。そこで、干渉信号の電力推定に使用するＣＳＩ−ＲＳ（干渉推定用参照信号）を用いて、他の送信ポイントからの干渉を推定することが検討されている。干渉推定用参照信号としては、ゼロパワーＣＳＩ−ＲＳ（ＺＰ  ＣＳＩ−ＲＳ）を利用することが検討されている。ゼロパワーＣＳＩ−ＲＳでは、ＣＳＩ−ＲＳが割り当てられるリソースに送信パワーが分配されない（ＣＳＩ−ＲＳがミュートされる）。以下の説明では、干渉推定用参照信号として、ＺＰ  ＣＳＩ−ＲＳを例に挙げて説明するが、本実施の形態の干渉推定用参照信号はＺＰ  ＣＳＩ−ＲＳに限られない。
【００３９】
図７は、ＣｏＭＰセットとなる送信ポイントＴＰ０、ＴＰ１、ＴＰ２からユーザ端末に干渉推定用参照信号を送信する場合を示している。図７では、干渉推定用ＣＳＩ−ＲＳ（ＺＰ  ＣＳＩ−ＲＳ）の配置パターンの一例を示しており、干渉推定用ＣＳＩ−ＲＳは、干渉信号の測定に用いるリソース（ＩＭＲ：Interference  Measurement  Resource）に割当てられる。なお、図７では、１ＰＲＢペアから所定シンボル（例えば、第８〜第１１）を抜き出した場合のＩＭＲのパターン（ＣＳＩ−ＲＳパターン）の一例を示しているが、本実施の形態はこれに限られない。
【００４０】
また、干渉推定用ＣＳＩ−ＲＳは、ＬＴＥで規定される１サブフレームにおいて、ＰＤＣＣＨに割当てられる制御信号、ＰＤＳＣＨに割当てられるデータ信号、ＣＲＳ等の他の信号と重ならないように割当てられる。また、ＰＡＰＲを抑制する観点から、干渉推定用ＣＳＩ-ＲＳを割当て可能なリソースは、時間軸方向に隣接する２つのリソースエレメント（ＲＥ：Resource  Element）がセットで割り当てられる。
【００４１】
例えば、ＣｏＭＰセットとなる複数の送信ポイント（ＴＰ１、ＴＰ２、ＴＰ３）において、ＴＰ０に対してのみ設定したＩＭＲ（ゼロパワーＣＳＩ−ＲＳ）を用いることにより、ＴＰ０以外の干渉を測定することができる。また、ＴＰ０とＴＰ１に対して設定したＩＭＲを用いることにより、ＴＰ０とＴＰ１以外の干渉を測定することができる。同様に、ＴＰ０とＴＰ１とＴＰ２に対して設定したＩＭＲを用いることにより、ＴＰ０とＴＰ１とＴＰ２以外の干渉を測定することができる。なお、無線リソースにマッピングされる干渉推定用参照信号（ＺＰ  ＣＳＩ−ＲＳ）の位置（周波数−時間方向の位置）は、無線基地局から通知されるＩＭＲ構成に基づいて決定することができる。なお、ＩＭＲ構成は、ＣｏＭＰのスケジューリングより前に上位レイヤシグナリング（例えば、ＲＲＣシグナリング）で通知される。
【００４２】
図８に、無線基地局からユーザ端末に通知されるＩＭＲ構成を示す。図８Ｂに示す複数のＩＭＲ構成（ここでは、ＩＭＲ１〜１４）では、各送信ポイントに設定されるＩＭＲ（マッピングされるＺＰ  ＣＳＩ−ＲＳ）の周波数−時間方向の位置がそれぞれ異なっている。ユーザ端末は、無線基地局から上位レイヤシグナリング（例えば、ＲＲＣシグナリング）で通知される所定のＩＭＲ構成に基づいて、ＺＰ  ＣＳＩ−ＲＳパターンを決定することができる。
【００４３】
なお、図８Ａでは、ユーザ端末（ＵＥ１）に対して、ＴＰ０とＴＰ１とＴＰ２で構成されるＣｏＭＰセットからデータ信号が送信され、ユーザ端末（ＵＥ２）に対して、ＴＰ２とＴＰ３とＴＰ４で構成されるＣｏＭＰセットからデータ信号が送信される場合を示している。
【００４４】
この場合、ユーザ端末（ＵＥ１）に対しては、ＩＭＲ１〜７においてマッピングされるＺＰ  ＣＳＩ−ＲＳの周波数−時間方向の位置が通知され、ユーザ端末（ＵＥ２）に対してＩＭＲ８〜１４においてマッピングされるＺＰ  ＣＳＩ−ＲＳの周波数−時間方向の位置が通知される。この場合、各ＩＭＲはそれぞれ送信ポイント毎に個別に設定される。
【００４５】
ところで、レートマッチングに適用するＣＳＩ−ＲＳパターンについても、上記図４で示したように、ＣＲＳパターンと同様にビット情報に対応づけて、スケジューリング結果に基づいてユーザ端末に当該ビット情報を通知することが考えられる。つまり、ユーザ端末が、各サブフレームに対するレートマッチングパターンとして、どのＺＰ  ＣＳＩ−ＲＳパターンを使用するかを規定したビット情報を受信してレートマッチングを行うことが考えられる。この場合、ユーザ端末は、各送信ポイントのゼロパワーＣＳＩ−ＲＳのリソース情報（ＩＭＲ構造）等を上位レイヤシグナリングで受信すると共に、レートマッチングに適用する所定のＣＳＩ−ＲＳパターンを下り制御情報（ＤＣＩ）で受信する。
【００４６】
さらに、この場合、レートマッチングパターンを示すビット情報として、ＣＲＳパターンとＺＰ  ＣＳＩ−ＲＳパターンとを組み合わせて規定することが考えられる。例えば、図９Ａに示すように、各送信ポイントのＣＲＳパターンとＺＰ  ＣＳＩ−ＲＳパターンを組み合わせて２ビットの情報で規定することができる。このように、上記図４に示したＣＲＳのレートマッチングパターンの構成を利用して、ＣＲＳパターンにＺＰ  ＳＩ−ＲＳパターンを組み合わせて規定することにより、ビット数の増加を抑制することができる。
【００４７】
また、スケジューリング結果と、レートマッチングパターンとの関係を上記図４Ｂと同様に規定すると図９Ｂに示すようになる。この場合、ＭＢＳＦＮサブフレーム（又は、ＮＣＴ）のＣＲＳパターンとＺＰ  ＣＳＩ−ＲＳパターンとして、ＪＴ  ＣｏＭＰ時の各送信ポイントのいずれかを組み合わせた場合のレートマッチングパターンを一つのビット情報（ここでは、“１１”）としてまとめて規定することとなる。
【００４８】
しかしながら、ＺＰ  ＣＳＩ−ＲＳは、ＣＲＳと異なり、ＭＢＳＦＮサブフレーム（又は、ＮＣＴ）であっても、ＰＤＳＣＨ領域において送信ポイント毎に異なるリソースにマッピングされる場合がある。そのため、ユーザ端末は、無線基地局からレートマッチングパターンとして、ＭＢＳＦＮサブフレーム（又は、ＮＣＴ）のＣＲＳパターン及びＺＰ  ＣＳＩ−ＲＳパターン（図９のビット情報“１１”）が通知された場合、ＣＲＳパターンのみの場合と異なり、ＺＰ  ＣＳＩ−ＲＳパターンを特定できない。つまり、ユーザ端末は、どの送信ポイントのＺＰ  ＣＳＩ−ＲＳパターンをレートマッチングに適用すればよいか判断できなくなるおそれがある。
【００４９】
例えば、図１０Ａに示すように、あるサブフレームにおいて、ＭＢＳＦＮを利用する各送信ポイントにおけるＺＰ  ＣＳＩ−ＲＳがそれぞれ異なるリソースにマッピングされる場合、各送信ポイントのＺＰ  ＣＳＩ−ＲＳパターンの組合せは、図１０Ｂに示す４通りが考えられる。図１０Ｂでは、それぞれＴＰ０とＴＰ１、ＴＰ０とＴＰ２、ＴＰ１とＴＰ２、ＴＰ０とＴＰ１とＴＰ２のＺＰ  ＣＳＩ−ＲＳパターンを組み合わせた場合を示している。
【００５０】
この場合、無線基地局がユーザ端末にレートマッチングパターンとして、ＭＢＳＦＮサブフレーム（又は、ＮＣＴ）のＣＲＳパターン及びＺＰ  ＣＳＩ−ＲＳパターン（図９のビット情報“１１”）を通知しても、ユーザ端末は、図１０ＢのいずれのＺＰ  ＣＳＩ−ＲＳパターンをレートマッチングに適用すべきか特定することができない。
【００５１】
そこで、本発明者らは、複数の送信ポイントからデータ信号が送信される場合に、ユーザ端末において、無線基地局から通知されるレートマッチングパターンに加えて、各送信ポイントが適用するサブフレーム構成を考慮してＣＲＳパターンを決定すると共に、ＭＢＳＦＮサブフレーム（又は、ＮＣＴ）を利用する送信ポイントについてＣＳＩ−ＲＳパターンを決定することを着想した。これにより、レートマッチングパターンを示すＤＣＩのビット数の増加を抑制すると共にレートマッチングを適切にできることを見出した。以下に、ユーザ端末におけるレートマッチングについて具体的に説明する。
【００５２】
＜第１の態様＞
ユーザ端末は、あるサブフレームにおいて、ＭＢＳＦＮサブフレーム（又は、ＮＣＴ）を利用する複数の送信ポイントからデータ信号が送信される（上記図９のビット情報“１１”）場合、当該複数の送信ポイントのＺＰ  ＣＳＩ−ＲＳパターンを考慮した上で、レートマッチングパターンを決定する。例えば、ユーザ端末は、以下の手順を用いてレートマッチングを行うことができる。
【００５３】
＜ステップ１＞
ユーザ端末は、あるサブフレームにおいて、全ての送信ポイントのサブフレーム構成をチェックする。具体的に、ユーザ端末は、ＣｏＭＰセットを構成する各送信ポイントが、ＭＢＳＦＮサブフレーム（又は、ＮＣＴ）であるか、あるいはノーマルサブフレームであるかを判断する。そして、ユーザ端末は、当該サブフレームにおいて、ＭＢＳＦＮサブフレーム（又は、ＮＣＴ）を適用する送信ポイントの数（Ａ）を決定する。なお、ユーザ端末は、サブフレーム構成について、あらかじめ上位レイヤシグナリング（例えば、ＲＲＣシグナリング）で通知される情報に基づいて判断することができる。
【００５４】
＜ステップ２＞
次に、ユーザ端末は、ステップ１で特定したＭＢＳＦＮサブフレーム（又は、ＮＣＴ）を適用するＡ個の送信ポイントのＺＰ  ＣＳＩ−ＲＳパターンをチェックする。そして、Ａ個の送信ポイントのＺＰ  ＣＳＩ−ＲＳのパターン数（Ｂ）を決定する。この場合、ＺＰ  ＣＳＩ−ＲＳパターン数（Ｂ）は、ＭＢＳＦＮサブフレーム（又は、ＮＣＴ）を適用する送信ポイントの数（Ａ）以下（Ｂ≦Ａ）となる。
【００５５】
＜ステップ３＞
次に、ユーザ端末は、ステップ２で決定したＢ個のＺＰ  ＣＳＩ−ＲＳパターンを考慮して、当該サブフレームにおけるレートマッチングを行う。これにより、ＭＢＳＦＮサブフレーム（又は、ＮＣＴ）を利用する複数の送信ポイントからデータ信号が送信される（ＪＴ  ＣｏＭＰ）場合のスケジューリング情報が、所定のビット情報（例えば、“１１”）に集約されていても、レートマッチングを適切に行うことが可能となる。
【００５６】
以下に、上述したレートマッチング手順の適用例について図１１を参照して具体的に説明する。なお、図１１は、各送信ポイントからそれぞれ異なるＺＰ  ＣＳＩ−ＲＳパターンが送信される場合を示している。
【００５７】
図１１Ａは、各送信ポイントにおいてそれぞれ異なるリソースにＺＰ  ＣＳＩ−ＲＳがマッピングされ、全ての送信ポイント（ここでは、ＴＰ０、ＴＰ１、ＴＰ２）がＭＢＳＦＮサブフレーム（又は、ＮＣＴ）を利用する場合を示している。まず、ユーザ端末は、各送信ポイントのサブフレーム構成をそれぞれチェックし、ＭＢＳＦＮサブフレーム（又は、ＮＣＴ）を適用する送信ポイントを特定し、その数（Ａ）を決定する（ステップ１）。ここでは、Ａ＝３（ＴＰ０、ＴＰ１、ＴＰ２）となる。
【００５８】
次に、ユーザ端末は、ＭＢＳＦＮサブフレーム（又は、ＮＣＴ）を利用する送信ポイントのＺＰ  ＣＳＩ−ＲＳパターンをチェックする。ＴＰ０、ＴＰ１、ＴＰ２においては、ＺＰ  ＣＳＩ−ＲＳがそれぞれ異なるリソースにマッピングされるため、ユーザ端末は、ＴＰ０、ＴＰ１、ＴＰ２のＺＰ  ＣＳＩ−ＲＳのパターン数（Ｂ）を決定する（ステップ２）。ここでは、Ｂ＝３（ＴＰ０、ＴＰ１、ＴＰ２）となる。
【００５９】
そして、ユーザ端末は、ＴＰ０、ＴＰ１、ＴＰ２におけるＺＰ  ＣＳＩ−ＲＳパターンを考慮して、レートマッチングを行う（ステップ３）。なお、各送信ポイントのサブフレーム構成、ＺＰ  ＣＳＩ−ＲＳパターン（ＩＭＲ構成）等は、上位レイヤシグナリング（例えば、ＲＲＣシグナリング）により無線基地局から通知される。
【００６０】
図１１Ｂは、各送信ポイントにおいてそれぞれ異なるリソースにＺＰ  ＣＳＩ−ＲＳがマッピングされ、２つの送信ポイント（ここでは、ＴＰ０、ＴＰ１）がＭＢＳＦＮサブフレーム（又は、ＮＣＴ）を利用し、その他の送信ポイント（ここでは、ＴＰ２）がノーマルサブフレームを利用する場合を示している。例えば、スケジューリング結果として、ＴＰ０とＴＰ１を用いてＪＴ  ＣｏＭＰを適用する場合が考えられる。
【００６１】
まず、ユーザ端末は、各送信ポイントのサブフレーム構成をそれぞれチェックし、ＭＢＳＦＮサブフレーム（又は、ＮＣＴ）を適用する送信ポイントを特定し、その数（Ａ）を決定する（ステップ１）。ここでは、Ａ＝２（ＴＰ０、ＴＰ１）となる。
【００６２】
次に、ユーザ端末は、ＭＢＳＦＮサブフレーム（又は、ＮＣＴ）を適用する送信ポイントのＺＰ  ＣＳＩ−ＲＳパターンをチェックする。ＴＰ０、ＴＰ１においては、ＺＰ  ＣＳＩ−ＲＳがそれぞれ異なるリソースにマッピングされるため、ユーザ端末は、ＺＰ  ＣＳＩ−ＲＳのパターン数を２（Ｂ＝２）と判断する（ステップ２）。
【００６３】
そして、ユーザ端末は、ＴＰ０、ＴＰ１におけるＺＰ  ＣＳＩ−ＲＳパターンを考慮して、レートマッチングを行う（ステップ３）。
【００６４】
図１１Ｃは、一部の送信ポイント（ここでは、ＴＰ０、ＴＰ１）においてそれぞれ異なるリソースにＺＰ  ＣＳＩ−ＲＳがマッピングされ、全ての送信ポイント（ここでは、ＴＰ０、ＴＰ１、ＴＰ２）がＭＢＳＦＮサブフレーム（又は、ＮＣＴ）を適用する場合を示している。まず、ユーザ端末は、各送信ポイントのサブフレーム構成をそれぞれチェックし、ＭＢＳＦＮサブフレーム（又は、ＮＣＴ）を適用する送信ポイントの数（Ａ）を決定する（ステップ１）。ここでは、Ａ＝３（ＴＰ０、ＴＰ１、ＴＰ２）となる。
【００６５】
次に、ユーザ端末は、ＭＢＳＦＮサブフレーム（又は、ＮＣＴ）を適用する送信ポイントのＺＰ  ＣＳＩ−ＲＳパターンをチェックする。ＴＰ０、ＴＰ１においては、ＺＰ  ＣＳＩ−ＲＳがそれぞれ異なるリソースにマッピングされ、ＴＰ２ではＺＰ  ＣＳＩ−ＲＳがマッピングされない。このため、ユーザ端末は、ＺＰ  ＣＳＩ−ＲＳのパターン数を２（Ｂ＝２）と判断する（ステップ２）。
【００６６】
そして、ユーザ端末は、ＴＰ０、ＴＰ１におけるＺＰ  ＣＳＩ−ＲＳパターンを考慮して、レートマッチングを行う（ステップ３）。これにより、各送信ポイントにおけるＣＳＩ−ＲＳパターンが異なっている場合であっても、レートマッチングを適切に行うことができる。
【００６７】
このように、ユーザ端末が、図９に示すビット情報“１１”を受信した場合であっても、各送信ポイントのサブフレーム構成と、ＭＢＳＦＮサブフレーム（又は、ＮＣＴ）を利用する送信ポイントのＺＰ  ＣＳＩ−ＲＳパターンを考慮することにより、レートマッチングを適切に行うことが可能となる。
【００６８】
なお、本実施の形態において、無線基地局からユーザ端末に通知されるＩＭＲ構成は、協調マルチポイント送信を行う各無線基地局の干渉推定用参照信号のリソース構成をそれぞれ上位レイヤシグナリングでユーザ端末に通知する（図１２Ａ、Ｂ参照）。つまり、上記図８では、干渉測定用のＺＰ  ＣＳＩ−ＲＳパターン（ユーザ端末が干渉測定に適用するＺＰ  ＣＳＩ−ＲＳの位置情報のみ）をユーザ端末に通知するが、図１２では、ユーザ端末のレートマッチングパターン（送信ポイントとＩＭＲ構成との関係）をユーザ端末に通知する。これにより、上記図８と比較して、干渉推定リソースを考慮してデータ領域のレートマッチングを行うことが可能となるため、効率的なレートマッチングを実現することが可能となる。
【００６９】
＜第２の態様＞
また、ユーザ端末は、下り制御情報に含まれるレートマッチングパターンを示すビット情報に応じて、上記第１の態様で示した方法と異なる方法を用いてレートマッチングパターンを行うことができる。例えば、レートマッチングパターンとして、１つの送信ポイントが該当する場合（図９Ａにおけるビット情報“００”、“０１”、“１０”）について下記のレートマッチング手順を適用することができる。また、図１３に示すように、レートマッチングパターンが３ビットのビット情報で規定される場合に、ビット情報“０００”、“００１”、“０１０”、“０１１”、“１００”、“１０１”、“１１０”について下記のレートマッチング手順を適用することができる。なお、図１３におけるビット情報“１１１”については、上記第１の態様を適用することができる。
【００７０】
＜ステップ１＞
ユーザ端末がレートマッチングパターンとして、所定の送信ポイント（例えば、ＴＰ０、ＴＰ１、ＴＰ２、ＴＰ０＋ＴＰ１、ＴＰ０＋ＴＰ２、ＴＰ１＋ＴＰ２、又はＴＰ０＋ＴＰ１＋ＴＰ２のいずれか）を示すビット情報（ＤＣＩ）を受信したとき、当該送信ポイントのサブフレーム構成を判断する。例えば、レートマッチングパターンとして、ＴＰ０を示すビット情報を受信した場合、ユーザ端末は、ＴＰ０のサブフレーム構成がＭＢＳＦＮサブフレーム（又は、ＮＣＴ）であるか否か判断する。
【００７１】
ＴＰ０のサブフレーム構成がＭＢＳＦＮサブフレーム（又は、ＮＣＴ）の場合、ユーザ端末は、ＴＰ０のＣＲＳパターンはないものと判断する。一方で、ＴＰ０のサブフレーム構成がノーマルサブフレームである場合、ユーザ端末は、上位レイヤシグナリングで通知されるＴＰ０のＣＲＳパターンを考慮してレートマッチングを行う。
【００７２】
また、レートマッチングパターンとして、ＴＰ０＋ＴＰ１を示すビット情報を受信し、ＴＰ０がＭＢＳＦＮサブフレーム、ＴＰ１がノーマルサブフレームであると判断した場合、ユーザ端末はＴＰ１のＣＲＳパターンを考慮してレートマッチングを行う。このように、ステップ１では、各送信ポイントのサブフレーム構成を考慮して、レートマッチングに適用するＣＲＳパターンを決定する。
【００７３】
＜ステップ２＞
ユーザ端末は、ビット情報で指定される送信ポイントにおけるＺＰ  ＣＳＩ−ＲＳパターンをチェックする。当該送信ポイントにおいてＺＰ  ＣＳＩ−ＲＳパターンがある場合、ユーザ端末はＺＰ  ＣＳＩ−ＲＳパターンを考慮してレートマッチングを行う。このように、ステップ２では、各送信ポイントのＺＰ  ＣＳＩ−ＲＳパターンを考慮して、レートマッチングに適用するＣＲＳパターンを決定する。
【００７４】
次に、上述したレートマッチング手順の適用例について図１４を参照して具体的に説明する。
【００７５】
図１４Ａは、あるサブフレームにおいてスケジューリングされる送信ポイント（ここでは、ＴＰ０）がノーマルサブフレームを利用し、ＺＰ  ＣＳＩ−ＲＳをマッピングする場合を示している。
【００７６】
まず、ユーザ端末は、ＴＰ０のサブフレーム構成がＭＢＳＦＮサブフレーム（又は、ＮＣＴ）であるか判断する。ここでは、ＴＰ０がノーマルサブフレームであるため、ユーザ端末は、ＴＰ０のＣＲＳパターンを考慮してレートマッチングを行う（ステップ１）。また、ＴＰ０において、ＺＰ  ＣＳＩ−ＲＳもマッピングされているため、ユーザ端末は、ＺＰ  ＣＳＩ−ＲＳパターンも考慮にいれてレートマッチングを行う（ステップ２）。
【００７７】
図１４Ｂは、あるサブフレームにおいてスケジューリングされる送信ポイント（ＴＰ０）がノーマルサブフレームを利用し、ＺＰ  ＣＳＩ−ＲＳをマッピングしない場合を示している。
【００７８】
この場合、ＴＰ０がノーマルサブフレームであるため、ユーザ端末は、ＴＰ０のＣＲＳパターンを考慮してレートマッチングを行う（ステップ１）。また、ＴＰ０において、ＺＰ  ＣＳＩ−ＲＳはマッピングされないため、ユーザ端末は、ＺＰ  ＣＳＩ−ＲＳパターンは考慮せずにレートマッチングを行う（ステップ２）。
【００７９】
図１４Ｃは、あるサブフレームにおいてスケジューリングされる送信ポイント（ＴＰ０）がＭＢＳＦＮサブフレーム（又は、ＮＣＴ）を利用し、ＣＳＩ−ＲＳをマッピングする場合を示している。
【００８０】
この場合、ＴＰ０がＭＢＳＦＮサブフレーム（又は、ＮＣＴ）であるため、ユーザ端末は、ＴＰ０のＣＲＳパターンは考慮せずにレートマッチングを行う（ステップ１）。また、ＴＰ０において、ＺＰ  ＣＳＩ−ＲＳがマッピングされないため、ユーザ端末は、ＺＰ  ＣＳＩ−ＲＳパターンを考慮してレートマッチングを行う（ステップ２）。
【００８１】
図１４Ｄは、あるサブフレームにおいてスケジューリングされる送信ポイント（ＴＰ０）がＭＢＳＦＮサブフレーム（又は、ＮＣＴ）を利用し、ＣＳＩ−ＲＳがマッピングされない場合を示している。
【００８２】
この場合、ＴＰ０がＭＢＳＦＮサブフレーム（又は、ＮＣＴ）であるため、ユーザ端末は、ＴＰ０のＣＲＳパターンは考慮せずにレートマッチングを行う（ステップ１）。また、ＴＰ０において、ＺＰ  ＣＳＩ−ＲＳはマッピングされないため、ユーザ端末は、ＺＰ  ＣＳＩ−ＲＳパターンは考慮せずにレートマッチングを行う（ステップ２）。
【００８３】
このように、スケジューリングされる送信ポイントに対して、サブフレーム構成に基づいてＣＲＳパターンの有無を判断すると共に、ＺＰ  ＣＳＩ−ＲＳパターンの有無を判断することにより、レートマッチングを適切に行うことが可能となる。
【００８４】
＜第３の態様＞
次に、無線基地局からユーザ端末に対して上位レイヤシグナリングで通知する干渉推定用参照信号リソース構成（ＩＭＲ構成）の選択方法について説明する。
【００８５】
図１５Ａは、あるサブフレームにおいて、３つの送信ポイントがＭＢＳＦＮサブフレーム（又は、ＮＣＴ）を利用し、各送信ポイントがそれぞれ異なるＣＳＩ−ＲＳパターンを有する場合を示している。この場合、ユーザ端末は、上記図１１で示したように、３つの送信ポイントにおけるＺＰ  ＣＳＩ−ＲＳパターンをそれぞれ考慮してレートマッチングを行う（図１５Ｂ参照）。
【００８６】
また、例えば、各ＩＭＲがそれぞれ独立して設定される場合、複数のＩＭＲが同じサブフレームで設定されるケース（例えば、図１６ＡにおけるＩＭＲ２、３、４、図１６ＢにおけるＩＭＲ５、６）が生じる。この場合にも、ユーザ端末は、図１５Ｂで示したように、各送信ポイント（ＴＰ０、ＴＰ１、ＴＰ２）のＺＰ  ＣＳＩ−ＲＳパターンを考慮してレートマッチングを行う。
【００８７】
一方で、ＣｏＭＰ送信が動的にスケジューリングされる場合、当該サブフレームにおいて、スケジューリングされる送信ポイントが２つとなる場合がある（図１５Ｃ参照）。これは、ＩＭＲ構成については、ＣｏＭＰスケジューリングの前に上位レイヤシグナリング（例えば、ＲＲＣシグナリング）で無線基地局からユーザ端末に通知されるためである。
【００８８】
このような場合、図１５Ａに示すように、スケジューリングされるＴＰ０とＴＰ１において、ＴＰ２用にマッピングされるＺＰ  ＣＳＩ−ＲＳリソースの位置はＰＤＳＣＨとして利用できなくなる（Ｗａｓｔｅｄ  ＲＥ）。その結果、リソースの利用効率を十分に図ることが困難となる。
【００８９】
そこで、本実施の形態では、各送信ポイントが適用するＩＭＲ構成（ＺＰ  ＣＳＩ−ＲＳの周波数−時間方向の位置）を制限する。具体的には、複数の送信ポイントにおいて、２つの送信ポイントのＣＳＩ−ＲＳパターンが重複するようにＩＭＲ構成を配置する。例えば、図１６Ａにおいて、あるサブフレームにおいて、ＩＭＲ２とＩＭＲ３を設定し、ＩＭＲ４は同じサブフレームに設定しないように制御する。以下に、３つの送信ポイント（ＴＰ０、ＴＰ１、ＴＰ２）でＣｏＭＰセットを構成する場合について図１７を参照して説明する。
【００９０】
図１７では、あるサブフレームにおいて、３つの送信ポイントに対して２つのＣＳＩ−ＲＳパターンを適用する場合を示している。具体的には、３つの送信ポイントがＭＢＳＦＮサブフレーム（又は、ＮＣＴ）を利用するサブフレームにおいて、ＩＭＲ構成を制限することにより２つのＣＳＩ−ＲＳパターンを適用する。例えば、スケジューリングされるＴＰ１とスケジューリングされないＴＰ２に対して同じリソース位置にＣＳＩ−ＲＳをマッピングするように、所定のＩＭＲ構成を組み合わせて適用する（ｊｏｉｎｔ  ｃｏｎｆｉｔｕｒｅ）。
【００９１】
図１７Ａでは、上記図１２に示したＩＭＲ構成の中から、ＩＭＲ１、２、６を選択して組み合わせて配置した場合を示している。この場合、協調マルチポイント送信を行う複数の送信ポイントの中で、いずれかの送信ポイント同士（ここでは、ＴＰ１とＴＰ２）のＺＰ  ＣＳＩ−ＲＳパターンが同一となるように、ＩＭＲ構成を配置している。また、図１７Ｂでは、ＩＭＲ２、４、７を組み合わせて配置した場合を示している。この場合、協調マルチポイント送信を行う複数の送信ポイントの中で、任意の送信ポイント（ここでは、ＴＰ１）におけるＭＢＳＦＮサブフレームにＺＰ  ＣＳＩ−ＲＳを割当てない（ＺＰ  ＣＳＩ−ＲＳ用のリソースがない）ＩＭＲ構成を配置している。なお、図１７Ａ、Ｂの他にも、３つの送信ポイントにおいてＣＳＩ−ＲＳパターンが２つとなる組合せであればよく、ＩＭＲ１、３、７の組合せ、ＩＭＲ１、４、５の組合せ、ＩＭＲ２、３、５の組合せ、ＩＭＲ３、４、６の組合せ等を用いることができる。
【００９２】
次に、図１８を参照して３つの送信ポイントに対して２つのＺＰ  ＣＳＩ−ＲＳパターンを適用する場合のレートマッチングについて説明する。図１８では、２つの送信ポイントに対してＩＭＲ１、２、６の組合せを適用した場合を示している。この場合、ＺＰ  ＣＳＩパターンとして、ＴＰ０におけるＣＳＩ−ＲＳパターン（パターン０）と、ＴＰ１とＴＰ２におけるＣＳＩ−ＲＳパターン（パターン１）の２つのＣＳＩ−ＲＳパターンを利用する。
【００９３】
図１８Ａに示す場合、スケジューリング結果に対応するレートマッチングパターンとして図１８Ｃに示すように４種類が考えられる。スケジューリング結果がＴＰ０である（ＴＰ０からデータ送信を行う）場合、レートマッチングパターンはＴＰ０のＣＲＳパターンとＴＰ０のＺＰ  ＣＳＩ−ＲＳパターン（パターン０）となる。スケジューリング結果がＴＰ１である場合、レートマッチングパターンはＴＰ１のＣＲＳパターンとＴＰ１のＺＰ  ＣＳＩ−ＲＳパターン（パターン１）となる。スケジューリング結果がＴＰ２である場合、レートマッチングパターンはＴＰ２のＣＲＳパターンとＴＰ１のＺＰ  ＣＳＩ−ＲＳパターン（パターン１）となる。
【００９４】
また、スケジューリング結果がＪＴ  ＣｏＭＰの場合（ＴＰ０＋ＴＰ１、ＴＰ０＋ＴＰ２、ＴＰ０＋ＴＰ１＋ＴＰ２）、レートマッチングパターンはＭＢＳＦＮサブフレーム（又は、ＮＣＴ）のＣＲＳパターンとＺＰ  ＣＳＩ−ＲＳパターン（パターン０＋パターン１）となる。一方で、ＭＢＳＦＮサブフレーム（又は、ＮＣＴ）を利用するＴＰ１とＴＰ２については、ＣＳＩ−ＲＳパターンが同じ（パターン１）であるため、スケジューリング結果がＴＰ１に対応するレートマッチングパターン（ＴＰ１のＣＲＳパターンとＴＰ１のＺＰ  ＣＳＩ−ＲＳパターン（パターン１））と同一とすることができる。
【００９５】
この場合、ユーザ端末は、図１８Ｂに示すようにレートマッチングを行うことができる。つまり、スケジューリング結果がＴＰ０＋ＴＰ１、ＴＰ０＋ＴＰ２、又はＴＰ０＋ＴＰ１＋ＴＰ２の場合、無線基地局はビット情報“１１”をＤＣＩに含めてユーザ端末に通知する。ユーザ端末は、ＣＳＩ−ＲＳパターン（パターン０＋パターン１）を考慮してレートマッチングを行う。また、スケジューリング結果がＴＰ１＋ＴＰ２の場合、無線基地局はビット情報“０１”をＤＣＩに含めてユーザ端末に通知する。ユーザ端末は、ＣＳＩ−ＲＳパターン（パターン１）を考慮してレートマッチングを行う。
【００９６】
このように、３つの送信ポイントに対して２つのＣＳＩ−ＲＳパターンを適用する場合であっても、レートマッチングを適切に行うことができる。また、各送信ポイントにおけるＩＭＲ構成を制限して配置することにより、一部の送信ポイントのみがスケジューリングされる場合であっても、リソースの有効活用を図ることが可能となる。
【００９７】
＜第４の態様＞
上記説明においては、ＪＴ  ＣｏＭＰとして複数の送信ポイントが全てＭＢＳＦＮサブフレームである場合について説明したが、本実施の形態はこれに限られない。ノーマルサブフレームを利用する送信ポイントとＭＢＳＦＮサブフレームを利用するサブフレーム間でＪＴ  ＣｏＭＰを適用することも可能である。この場合について図１９を参照して説明する。
【００９８】
例えば、上記図１１Ｂにおいては、ＴＰ０とＴＰ１がＭＢＳＦＮサブフレーム（又は、ＮＣＴ）を利用し、ＴＰ２がノーマルサブフレームを利用し、ＴＰ０とＴＰ１がスケジューリング（ＪＴ  ＣｏＭＰ）される場合を示している。
【００９９】
一方で、ＴＰ０とＴＰ１とＴＰ２がＪＴ  ＣｏＭＰとしてスケジューリングされる場合（図１９Ａ）、ＴＰ２のＣＲＳパターン及びＺＰ  ＣＳＩ−ＲＳパターンがレートマッチングパターンとして選択されて（ビット情報“１０”）、ユーザ端末においてレートマッチングを行うことが考えられる。
【０１００】
しかし、この場合、ＴＰ０とＴＰ１のＺＰ  ＣＳＩ−ＲＳがＴＰ２のＺＰ  ＣＳＩ−ＲＳと異なるリソースにマッピングされているため、レートマッチングを適切に行うことができない。そこで、本実施の態様では、ノーマルサブフレームを利用する送信ポイントとＭＢＳＦＮサブフレーム（又は、ＮＣＴ）を利用する送信ポイント間でＪＴ  ＣｏＭＰを適用する場合、ノーマルサブフレームを適用する送信ポイントにおけるＺＰ  ＣＳＩ−ＲＳのパターンを選択的に適用する。つまり、各送信ポイントが適用するＩＭＲ構成を（制限して）配置することにより、ＭＢＳＦＮサブフレームを適用する送信ポイントにおいても、ノーマルサブフレームを適用する送信ポイントにおけるＺＰ  ＣＳＩ−ＲＳのパターンを適用する。
【０１０１】
例えば、図１９Ｂに示すように、ＴＰ２において設定されるＣＳＩ−ＲＳパターン（ＩＭＲ構成）を、ＴＰ０、ＴＰ１に設定する。ここでは、ＣｏＭＰセットにおけるＩＭＲ構成において、少なくともＴＰ２のＩＭＲが含まれる組合せ（ＩＭＲ１、４、６、７の組合せ）をＴＰ０、ＴＰ１において適用する。つまり、協調マルチポイント送信を行う複数の送信ポイントの中で、ＭＢＳＦＮサブフレーム又はＮＣＴを利用する送信ポイント（ここでは、ＴＰ０とＴＰ１）のＺＰ  ＣＳＩ−ＲＳ用のリソースが、ノーマルサブフレームを利用する送信ポイント（ここでは、ＴＰ２）のＺＰ  ＣＳＩ−ＲＳ用のリソースのサブセットになるように、ＩＭＲ構成を配置する。これにより、ユーザ端末がＴＰ２のＣＲＳパターン及びＣＳＩ−ＲＳパターンを用いてレートマッチングをする場合であっても、適切にレートマッチングを行うことができる。
【０１０２】
このように、ＭＢＳＦＮサブフレームを適用する送信ポイントのＺＰ  ＣＳＩ−ＲＳパターンが、ノーマルサブフレームを利用する送信ポイントのＺＰ  ＣＳＩ−ＲＳパターンに重複するようにＩＭＲ構成を制限することにより、レートマッチングを適切に行うことができる。
【０１０３】
（無線通信システムの構成）
以下に、本実施の形態に係る無線通信システムについて詳細に説明する。図２０は、本実施の形態に係る無線通信システムのシステム構成の説明図である。なお、図２０に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【０１０４】
図２０に示すように、無線通信システム１は、無線基地局２０Ａ，２０Ｂと、この無線基地局２０Ａ，２０Ｂと通信する複数の第１、第２のユーザ端末１０Ａ，１０Ｂとを含んで構成されている。無線基地局２０Ａ，２０Ｂは、上位局装置３０と接続され、この上位局装置３０は、コアネットワーク４０と接続される。また、無線基地局２０Ａ，２０Ｂは、有線接続又は無線接続により相互に接続されている。第１、第２のユーザ端末１０Ａ，１０Ｂは、セルＣ１，Ｃ２において無線基地局２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。なお、セル間では、必要に応じて、複数の基地局によりＣｏＭＰ送信の制御が行われる。
【０１０５】
第１、第２のユーザ端末１０Ａ，１０Ｂは、ＬＴＥ端末及びＬＴＥ−Ａ端末を含むが、以下においては、特段の断りがない限り第１、第２のユーザ端末として説明を進める。また、説明の便宜上、無線基地局２０Ａ，２０Ｂと無線通信するのは第１、第２のユーザ端末１０Ａ，１０Ｂであるものとして説明するが、より一般的には移動端末装置も固定端末装置も含むユーザ装置（ＵＥ）でよい。
【０１０６】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【０１０７】
下りリンクの通信チャネルは、第１、第２のユーザ端末１０Ａ，１０Ｂで共有される下りデータチャネルとしてのＰＤＳＣＨと、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【０１０８】
上りリンクの通信チャネルは、各ユーザ端末で共有される上りデータチャネルとしてのＰＵＳＣＨと、上りリンクの制御チャネルであるＰＵＣＣＨとを有する。このＰＵＳＣＨにより、送信データや上位制御情報が伝送される。また、ＰＵＣＣＨにより、ＲＩ、ＰＭＩ、ＣＱＩ等のチャネル状態情報（ＣＳＩ）、ＡＣＫ／ＮＡＣＫなどが伝送される。
【０１０９】
図２１を参照しながら、本実施の形態に係る無線基地局の全体構成について説明する。なお、無線基地局２０Ａ，２０Ｂは、同様な構成であるため、無線基地局２０として説明する。また、後述する第１、第２のユーザ端末１０Ａ，１０Ｂも、同様な構成であるため、ユーザ端末１０として説明する。
【０１１０】
無線基地局２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより無線基地局２０からユーザ端末に送信される送信データは、上位局装置３０から伝送路インターフェース２０６を介してベースバンド信号処理部２０４に入力される。
【０１１１】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【０１１２】
また、ベースバンド信号処理部２０４は、報知チャネルにより、同一セルに接続するユーザ端末１０に対して、各ユーザ端末１０が無線基地局２０との無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【０１１３】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。なお、送受信部２０３は、ユーザ端末に対してレートマッチングパターンが規定されたビット情報を含む下り制御情報を送信する送信部、干渉推定用参照信号のリソース構成（IMR  configuration）を上位レイヤシグナリング（例えば、ＲＲＣシグナリング）で送信する送信部等として機能する。
【０１１４】
一方、上りリンクによりユーザ端末１０から無線基地局２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【０１１５】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【０１１６】
呼処理部２０５は、通信チャネルの設定や解放等の呼処理や、無線基地局２０の状態管理や、無線リソースの管理を行う。
【０１１７】
図２２は、図２１に示す無線基地局におけるベースバンド信号処理部の構成を示すブロック図である。ベースバンド信号処理部２０４は、レイヤ１処理部２０４１と、ＭＡＣ処理部２０４２と、ＲＬＣ処理部２０４３と、制御情報生成部２０４４と、ＩＭＲ構成選択部２０４５と、から主に構成されている。
【０１１８】
レイヤ１処理部２０４１は、主に物理レイヤに関する処理を行う。レイヤ１処理部２０４１は、例えば、上りリンクで受信した信号に対して、チャネル復号化、離散フーリエ変換（ＤＦＴ：Discrete  Fourier  Transform）、周波数デマッピング、逆高速フーリエ変換（ＩＦＦＴ：Inverse  Fast  Fourier  Transform）、データ復調などの処理を行う。また、レイヤ１処理部２０４１は、下りリンクで送信する信号に対して、チャネル符号化、データ変調、周波数マッピング、逆高速フーリエ変換（ＩＦＦＴ）などの処理を行う。
【０１１９】
ＭＡＣ処理部２０４２は、上りリンクで受信した信号に対するＭＡＣレイヤでの再送制御、上りリンク／下りリンクに対するスケジューリング、ＰＵＳＣＨ／ＰＤＳＣＨの伝送フォーマットの選択、ＰＵＳＣＨ／ＰＤＳＣＨのリソースブロックの選択などの処理を行う。
【０１２０】
ＲＬＣ処理部２０４３は、上りリンクで受信したパケット／下りリンクで送信するパケットに対して、パケットの分割、パケットの結合、ＲＬＣレイヤでの再送制御などを行う。
【０１２１】
制御情報生成部２０４４は、スケジューリング結果に基づいてユーザ端末に通知する所定のレートマッチングパターンを選択し、当該レートマッチングパターンが規定されたビット情報を含む下り制御情報を生成する。例えば、制御情報生成部２０４４は、上記図９に示したテーブルを用いて、スケジューリング結果に基づいてレートマッチングパターンを選択すると共に、所定のビット情報を含む下り制御情報（ＤＣＩ）を生成する。
【０１２２】
例えば、あるサブフレームにおいて、スケジューリング結果として、ＭＢＳＦＮサブフレーム（又は、ＮＣＴ）を利用するＴＰ０とＴＰ１からユーザ端末にデータ信号を送信する（ＪＴ  ＣｏＭＰ）場合、制御情報生成部２０４４は、図９のテーブル１、テーブル２に基づいて、ビット情報“１１”を下り制御情報に含めて生成する。制御情報生成部２０４４で生成された下り制御情報は、送受信部２０３を介してユーザ端末に通知される。
【０１２３】
ＩＭＲ構成選択部２０４５は、ユーザ端末に通知する干渉推定用参照信号のリソース構成（IMR  configuration）を選択する。ＩＭＲ構成選択部２０４５は、図１２に示すＣｏＭＰセットを構成するそれぞれの送信ポイントのＺＰ  ＣＳＩ−ＲＳのリソース構成（周波数−時間領域で特定される位置）の中から所定のＩＭＲ構成を選択する。
【０１２４】
また、ＩＭＲ構成選択部２０４５は、ユーザ端末に通知する干渉推定用参照信号のリソース構成を制限する。例えば、上記第３の態様に示すように、あるサブフレームにおいて、３つのＣｏＭＰセット（例えば、ＴＰ０、ＴＰ１、ＴＰ２）のうち２つのＣｏＭＰセット（ＴＰ０とＴＰ１）がスケジューリングされる場合、２つの送信ポイント（ＴＰ１とＴＰ２）のＣＳＩ−ＲＳパターンが同一となるようにＩＭＲ構成を（制限して）選択する。
【０１２５】
また、上記第４の態様に示すように、ノーマルサブフレームを利用する送信ポイント（例えば、ＴＰ２）とＭＢＳＦＮサブフレームを利用するサブフレーム（例えば、ＴＰ１、ＴＰ２）間でＪＴ  ＣｏＭＰを適用する際に、ＴＰ０とＴＰ１が利用するＩＭＲ構成をＴＰ２と重複するように（制限して）選択する。
【０１２６】
次に、図２３を参照しながら、本実施の形態に係るユーザ端末の全体構成について説明する。ＬＴＥ端末もＬＴＥ-Ａ端末もハードウエアの主要部構成は同じであるので、区別せずに説明する。ユーザ端末１０は、送受信アンテナ１０１と、アンプ部１０２と、送受信部（受信部）１０３と、ベースバンド信号処理部１０４と、アプリケーション部１０５とを備えている。
【０１２７】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【０１２８】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。なお、送受信部１０３は、所定のレートマッチングパターンが規定されたビット情報を含む下り制御情報を受信する受信部等として機能する。
【０１２９】
図２４は、図２３に示すユーザ端末におけるベースバンド信号処理部の構成を示すブロック図である。ベースバンド信号処理部１０４は、レイヤ１処理部１０４１と、ＭＡＣ処理部１０４２と、ＲＬＣ処理部１０４３と、サブフレーム構成判断部１０４４と、参照信号パターン決定部１０４５と、レートマッチング部１０４６と、から主に構成されている。なお、サブフレーム構成判断部１０４４、参照信号パターン決定部１０４５及びレートマッチング部１０４６の組合せがレートマッチング処理部として機能する。
【０１３０】
レイヤ１処理部１０４１は、主に物理レイヤに関する処理を行う。レイヤ１処理部１０４１は、例えば、下りリンクで受信した信号に対して、チャネル復号化、離散フーリエ変換（ＤＦＴ）、周波数デマッピング、逆高速フーリエ変換（ＩＦＦＴ）、データ復調などの処理を行う。また、レイヤ１処理部１０４１は、上りリンクで送信する信号に対して、チャネル符号化、データ変調、周波数マッピング、逆高速フーリエ変換（ＩＦＦＴ）などの処理を行う。
【０１３１】
ＭＡＣ処理部１０４２は、下りリンクで受信した信号に対するＭＡＣレイヤでの再送制御（ＨＡＲＱ）、下りスケジューリング情報の解析（ＰＤＳＣＨの伝送フォーマットの特定、ＰＤＳＣＨのリソースブロックの特定）などを行う。また、ＭＡＣ処理部１０４２は、上りリンクで送信する信号に対するＭＡＣ再送制御、上りスケジューリング情報の解析（ＰＵＳＣＨの伝送フォーマットの特定、ＰＵＳＣＨのリソースブロックの特定）などの処理を行う。
【０１３２】
ＲＬＣ処理部１０４３は、下りリンクで受信したパケット／上りリンクで送信するパケットに対して、パケットの分割、パケットの結合、ＲＬＣレイヤでの再送制御などを行う。
【０１３３】
サブフレーム構成判断部１０４４は、ＣｏＭＰセットの送信ポイント（無線基地局）のサブフレーム構成を判断する。例えば、サブフレーム構成判断部１０４４は、あるサブフレーム構成において、スケジューリングされた送信ポイント又は全ての送信ポイントのサブフレーム構成が、ＭＢＳＦＮサブフレーム（又は、ＮＣＴ）であるか否か判断する。
【０１３４】
例えば、上記第１の態様に示すように、あるサブフレームにおいて、レートマッチングパターンを規定するビット情報として図９に示す“１１”が無線基地局から通知された場合、サブフレーム構成判断部１０４４は、ＣｏＭＰセットを構成する全ての送信ポイントのサブフレーム構成をチェックする。そして、サブフレーム構成判断部１０４４は、当該サブフレームにおいて、ＭＢＳＦＮサブフレーム（又は、ＮＣＴ）を適用する送信ポイントの数（Ａ）を決定する（図１１におけるステップ１）。なお、サブフレーム構成の判断は、無線基地局から通知される上位レイヤシグナリング（例えば、ＲＲＣシグナリング）に基づいて行うことができる。
【０１３５】
参照信号パターン決定部１０４５は、レートマッチングに適用する参照信号パターン（ＣＲＳパターン及び／又はＺＰ  ＣＳＩ−ＲＳパターン）を決定する。例えば、上記第１の態様に示すように、レートマッチングパターンを規定するビット情報として図９に示す“１１”が無線基地局から通知された場合、参照信号パターン決定部１０４５は、サブフレーム構成判断部１０４４で特定したＭＢＳＦＮサブフレーム（又は、ＮＣＴ）を適用するＡ個の送信ポイントのＺＰ  ＣＳＩ−ＲＳ構成（ＺＰ  ＣＳＩ−ＲＳパターン）をチェックする。そして、参照信号パターン決定部１０４５は、Ａ個の送信ポイントのＺＰ  ＣＳＩ−ＲＳのパターン数（Ｂ）を決定する（図１１におけるステップ２）。
【０１３６】
レートマッチング部１０４６は、参照信号パターン決定部１０４５で決定されたレートマッチングパターンに基づいてレートマッチングを行う。例えば、レートマッチング部１０４６は、参照信号パターン決定部１０４５で決定したＢ個のＺＰ  ＣＳＩ−ＲＳパターンを考慮して、当該サブフレームにおけるレートマッチングを行う（図１１におけるステップ３）。
【０１３７】
これにより、ＭＢＳＦＮサブフレーム（又は、ＮＣＴ）を利用する複数の送信ポイントからデータ信号が送信される（ＪＴ  ＣｏＭＰ）場合のスケジューリング情報が、所定のビット情報（例えば、“１１”）に集約されていても、適切にレートマッチングを行うことが可能となる。
【０１３８】
以上、上述の実施形態を用いて本発明について詳細に説明したが、本発明は上記実施の形態に限定されず、様々変更して実施することが可能である。例えば、上記説明におけるＣＳＩ−ＲＳの設定位置、ミューティング（ゼロパワー）の設定位置、処理部の数、処理手順、ＣＳＩ−ＲＳの数、ミューティングの数、送信ポイント数については適宜変更して実施することが可能である。また、上記説明においては、複数の送信ポイントが複数の無線基地局である場合について説明しているが、送信ポイントはアンテナであっても良い。また、上記第１の態様〜第４の態様は適宜組み合わせて適用することができる。その他、本発明の範囲を逸脱しないで適宜変更して実施することが可能である。
【符号の説明】
【０１３９】
１  無線通信システム
１０  ユーザ端末
２０  無線基地局
３０  上位局装置
４０  コアネットワーク
１０１  送受信アンテナ
１０２  アンプ部
１０３  送受信部（受信部）
１０４  ベースバンド信号処理部
１０５  アプリケーション部
２０１  送受信アンテナ
２０２  アンプ部
２０３  送受信部（通知部）
２０４  ベースバンド信号処理部
２０５  呼処理部
２０６  伝送路インターフェース
１０４１，２０４１  レイヤ１処理部
１０４２，２０４２  ＭＡＣ処理部
１０４３，２０４３  ＲＬＣ処理部
１０４４  サブフレーム構成判断部
１０４５  参照信号パターン決定部
１０４６  レートマッチング部
２０４４  制御情報生成部
２０４５  ＩＭＲ構成選択部
【図１】
2014072694.tif 000003
【図２】
2014072694.tif 000004
【図３】
2014072694.tif 000005
【図４】
2014072694.tif 000006
【図５】
2014072694.tif 000007
【図６】
2014072694.tif 000008
【図７】
2014072694.tif 000009
【図８】
2014072694.tif 000010
【図９】
2014072694.tif 000011
【図１０】
2014072694.tif 000012
【図１１】
2014072694.tif 000013
【図１２】
2014072694.tif 000014
【図１３】
2014072694.tif 000015
【図１４】
2014072694.tif 000016
【図１５】
2014072694.tif 000017
【図１６】
2014072694.tif 000018
【図１７】
2014072694.tif 000019
【図１８】
2014072694.tif 000020
【図１９】
2014072694.tif 000021
【図２０】
2014072694.tif 000022
【図２１】
2014072694.tif 000023
【図２２】
2014072694.tif 000024
【図２３】
2014072694.tif 000025
【図２４】
2014072694.tif 000026